(57)【特許請求の範囲】
【請求項１】
投函口と、この投函口と連続した筒状部を有したポスト口部と、
筒形状の屋内ガイド部を備え、
前記ポスト口部は、取付部の屋外側部に、その筒状部が取付用開口部内に挿入するように取付けると共に、そのポスト口部の筒状部の外周面に、取付部の取付用開口部に接してポスト口部を取付部に支持し、その筒状部の外周面と前記取付用開口部との間に、屋内ガイド部が挿入する空間を形成する支持部材を設け、
前記屋内ガイド部は、前記取付部の屋内側部に、その取付用開口部内に挿入して取付け、
前記ポスト口部の筒状部と前記屋内ガイド部は、その筒状部の外周面に屋内ガイド部の内周面が接するように嵌まり合って連設されていることを特徴とするポスト。
【請求項２】
屋内ガイド部の内周面に、その内周面と筒状部の内周面を滑らかに連続する投函物ガイドを設けた請求項１記載のポスト。
【発明の詳細な説明】
【技術分野】
【０００１】
本発明は、門扉、塀、家屋の玄関扉、家屋の躯体壁部などの取付部に、屋内外側方向に貫通して設置されるポストに関する。
【背景技術】
【０００２】
従来から取付部に屋内外側方向に貫通して設置されるポストが種々提案される。
例えば、特許文献１の図１１に開示したように、ポスト口部（口金部）と屋内ガイド部（中空筒状の取出し部）を備え、そのポスト口部を躯体壁部に屋外側から埋め込み、屋内側よりポスト口部の筒状部（中空部）に、中空筒状の屋内ガイド部を挿入して連設するポストが提案されている。
【特許文献１】特許第３３２８５１２号公報
【発明の開示】
【発明が解決しようとする課題】
【０００３】
前述した従来のポストは、ポスト口部の筒状部の内周面に屋内ガイド部の外周面が接するように嵌め合わせて連設しているので、その連設部において、ポスト口部の筒状部の内周面と屋内ガイド部の外周面との間に、隙間があると共に、前記屋内ガイド部の端面がポスト口部の筒状部の内周面よりも内方に突出し、屋内側が高い段差が生じている。
このために、ポスト口部から郵便物や新聞等の投函物を投函した際に、その投函物がポスト口部の筒状部の内周面に沿ってスライドし、その内周面と屋内ガイド部の外周面との間の隙間に入り込み、屋内ガイド部から取り出しにくいことがある。
また、ポスト口部から投函した投函物が前述の屋内側が高い段差にひっかかり、投函物を入れにくいことがあるし、入りきらないことがある。
【０００４】
本発明の目的は、連設部に、投函物が屋外側から入り込む隙間がなく、投函物を屋内ガイド部から取り出し易く、連設部の段差は屋外側が高く、ポスト口部から投函物を入れ易いと共に、確実に入れ込むことができるポストとすることである。
【課題を解決するための手段】
【０００５】
本発明は、投函口と、この投函口と連続した筒状部を有したポスト口部と、
筒形状の屋内ガイド部を備え、
前記ポスト口部は、取付部の屋外側部に、その筒状部が取付用開口部内に挿入するように取付けると共に、そのポスト口部の筒状部の外周面に、取付部の取付用開口部に接してポスト口部を取付部に支持し、その筒状部の外周面と前記取付用開口部との間に、屋内ガイド部が挿入する空間を形成する支持部材を設け、
前記屋内ガイド部は、前記取付部の屋内側部に、その取付用開口部内に挿入して取付け、
前記ポスト口部の筒状部と前記屋内ガイド部は、その筒状部の外周面に屋内ガイド部の内周面が接するように嵌まり合って連設されていることを特徴とするポストである。
【０００６】
本発明においては、屋内ガイド部の内周面に、その内周面と筒状部の内周面を滑らかに連続する投函物ガイドを設けることができる。
このようにすれば、投函口から投函された投函物は、筒状部の内周面に沿ってスライドしながら投函物ガイドに沿って屋内ガイド部の内周面にスムーズにスライドして移動するから、投函物をより一層スムーズに投函することができる。
また、筒状部の外周面と屋内ガイド部の内周面との間の隙間は、投函物ガイドで閉塞されるから、投函物が何らかの事情で屋内ガイド部の内周面に沿って屋外側に移動しても、その隙間に入り込むことがない。
【発明の効果】
【００１１】
本発明によれば、屋内ガイド部の内周面と筒状部の外周面との間の隙間に、投函物が屋外側から入り込むことがないので、ポスト口部と屋内ガイド部の連設部に、投函物が屋外側から入り込む隙間がなく、投函物を屋内ガイド部から取り出し易い。
また、屋内ガイド部の内周面は筒状部の外周面よりも外周寄りであるから、屋内ガイド部の端面は筒状部の外周面よりも外周寄りで、ポスト口部と屋内ガイド部の連設部の段差は、屋外側が高く、投函物が段差にひっかかることがなく、ポスト口部から投函物を入れ易いと共に、確実に入れ込むことができる。
また、ポスト口部を取付部の屋外側部に取付けた後に、屋内ガイド部を取付部の屋内側部から筒状部の外周面と取付用開口部との間の空間に挿入して取付けることができ、ポストを取付部に簡単に取付けできる。
【発明を実施するための最良の形態】
【００１４】
本発明の実施の形態を図１〜図４に基づいて説明する。
ポスト口部１と屋内ガイド部１０でポストとしてある。
前記ポスト口部１は、投函口２と、この投函口２と連続した筒状部３を有している。
前記ポスト口部１は、家屋の建物躯体などの取付部２０の屋外側部に、その筒状部３が取付部２０の取付用開口部２１内に挿入するようにして取付けられる。
前記取付用開口部２１は取付部２０の屋外側面と屋内側面に開口している。つまり、取付用開口部２１は取付部２０の屋内外側方向に貫通している。
【００１５】
前記屋内ガイド部１０は筒形状で、前記取付部２０の屋内側部に、取付用開口部２１に挿入して取付けられる。
この屋内ガイド部１０と前記ポスト口部１の筒状部３は、屋内ガイド部１０の内周面１０ａが前記筒状部３の外周面３ａに接するように嵌まり合って連設され、その筒状部３の内周面３ｂは屋内ガイド部１０の内周面１０ａよりも内方に位置している。
【００１６】
このようであるから、投函口２から投函した投函物は、筒状部３の内周面３ｂに沿ってスライドして屋内ガイド部１０の内周面１０ａまで移動し、筒状部３の外周面３ａと屋内ガイド部１０の内周面１０ａとの間の隙間に入り込むことがない。
つまり、ポスト口部１とガイド部１０の連設部に、投函物が屋外側から入り込む隙間がない。
したがって、投函物を屋内ガイド部１０から取り出し易い。
【００１７】
また、前述のように投函した投函物は筒状部３の内周面３ｂから屋内ガイド部１０の内周面１０ａにスライドしながらスムーズに移動し、屋内ガイド部１０の端面１０ｂにひっかかることはない。
つまり、屋内ガイド部１０の端面１０ｂは筒状部３の外周面３ａよりも外周寄りであるから、ポスト口部１と屋内ガイド部１０の連設部の段差は、屋外側が屋内側よりも高い。
したがって、前記段差に投函物がひっかかることがなく、投函物を入れ易いし、途中で止まることなく確実に入れ込むことができる。
【００１８】
この実施の形態では、屋内ガイド部１０の内周面１０ａにおける投函物がスライドして移動する部分、例えば下内周面に投函物ガイド１１が設けてあり、この投函物ガイド１１によって筒状部３の内周面３ｂと屋内ガイド部１０の内周面１０ａを滑らかに連続している。この投函物ガイド１１は内周面１０ａの全周に設けても良い。
例えば、投函物ガイド１１を、平坦な外側面１１ａと傾斜した内側面１１ｂと一端面１１ｃで断面ほぼ三角形状とし、その外側面１１ａを屋内ガイド部１０の内周面１０ａに接着手段、例えば両面接着テープで接着して取付け、その一端面１１ｃを筒状部３の端面３ｃに接し、傾斜した内側面１１ｂで筒状部３の内周面３ｂと屋内ガイド部１０の内周面１０ａを滑らかに連続する。
【００１９】
このようにすることで、投函物は筒状部３の内周面３ｂ、投函物ガイド１１の内側面１１ｂに沿って屋内ガイド部１０の内周面１０ａまでスライドするから、投函物をより一層スムーズに投函できる。
また、筒状部３の外周面３ａと屋内ガイド部１０の内周面１０ａとの間の隙間が投函物ガイド１１で閉塞されるので、前述のように筒状部３の内周面３ｂに沿ってスライドした投函物が、何らかの事由で前述の隙間に屋内側から入り込むことを確実に防止できる。
【００２０】
前記筒状部３の外周面３ａには支持部材４が設けてある。
この支持部材４は外周面３ａよりも外方に張り出し、この支持部材４が前記取付部２０の取付用開口部２１に接してポスト口部１を取付部２０の取付用開口部２１に支持し、その取付用開口部２１と筒状部３の外周面３ａとの間に、前記屋内ガイド部１０が挿入する空間２２を形成している。
【００２１】
このようであるから、ポスト口部１を屋外側から筒状部３を取付用開口部２１内に挿入して取付けることで、支持部材４が取付用開口部２１に接し、その取付用開口部２１と筒状部３の外周面３ａとの間に空間２２が形成される。
この後に、取付部２０の屋内側から屋内ガイド部１０を、その外周面１０ｃを取付部２０の取付用開口部２１に沿って挿入して空間２２に押し込むことで、屋内ガイド部１０の内周面１０ａが筒状部３の外周面３ａに接するように嵌め合わせて連設できる。
したがって、取付部２０にポストを簡単に取付けできる。
【００２２】
この実施の形態では、筒状部３の屋外側寄り部分の肉厚を屋内側寄り部分の肉厚よりも厚くして支持部材４を一体的に設けてある。なお、筒状部３の薄い肉厚の屋内側寄り部分は金型の抜き勾配のためにテーパ形状としてある。
これに限ることはなく、支持部材４を筒状部３と別体としても良い。
例えば、支持部材４を筒形状とし、筒状部３の外周面３ａに嵌合して取付ける。
または、複数の支持片を筒状部３の外周面３ａに接着などで取付けて支持部材とする。
【００２３】
前記ポスト口部１には複数の蓋が屋内外側方向に間隔を置いて設けてある。
この各蓋は常時閉じ姿勢に保持され、投函物で押されることで開き姿勢となる。
例えば、ポスト口部１の屋外寄りにポスト口蓋５が開閉自在に設けてあると共に、屋内寄りに投函物受口蓋６が開閉自在に設けてある。
【００２４】
次に各部の具体形状を説明する。
前記ポスト口部１は第１ポスト口本体３０と第２ポスト口本体４０と投函物受口体５０を備えている。
前記第１ポスト口本体３０は、前面板３１と筒体３２で後面が開口した箱形状で、その前面板３１に開口３３が形成されて投函口２としてある。この筒体３２、開口３３は左右寸法が上下寸法よりも大きな矩形状としてある。なお、縦型として取付ける場合は左右寸法が上下寸法よりも小さな矩形状とする。
前記前面板３１の開口３３よりも上方位置に前記ポスト口蓋５がヒンジ３４で上下揺動自在に設けてあり、このポスト口蓋５はばね３５で下方に揺動付勢されて開口３３を閉じる閉じ姿勢に保持され、投函物で押されるとばね３５に抗して上方に揺動して開き姿勢となる。
【００２５】
前記第２ポスト口本体４０は、前面板４１と筒体４２とで後面が開放した箱形状で、その前面板４１に入口４３が形成されていると共に、その入口４３の下、左右の開口縁に沿って上向きコ字形状の投函物受け４４が屋外側に向けて設けてある。
この投函物受け４４は第１ポスト口本体３０の開口３３まで張り出し、その開口３３（投函口２）から投函された投函物を入口４３までスムーズにガイドする。
前記前面板４１の投函物受け４４よりも外周寄りには筒形状の受片４５が屋外側に向けて一体的に設けてある。
前記筒体４２には取付片４６が外周に張り出して設けてある。
この取付片４６が取付部２０の屋外側部に固着具４７で固着して取付けられ、その筒体４２が取付用開口部２１内に挿入する。
【００２６】
つまり、第２ポスト口本体４０が前述の筒状部３である。
この第２ポスト口本体４０の筒体４２の前面板４１寄りを厚肉として前述の支持部材４としてある。
前記入口４３は筒状部３の投函口２寄りに形成した入口で、この入口４３は筒状部３の内径（内周面３ｂの大きさ）よりも小さい。
【００２７】
前記投函物受口体５０は受口５１を有し、この受口５１は前記入口４３と連通している。この受口５１が前記投函物受口蓋６で開閉される。この投函物受口蓋６はばね５２で閉じ姿勢に保持され、投函物で押されると開き姿勢となる。
この投函物受口体５０は、第２ポスト口本体４０の前面板４１に、固着手段６０で取付けられ、その受口５１と入口４３が連続するようにしてある。
前記固着手段６０で第１ポスト口本体３０が第２ポスト口本体４０の前面板４１に取付けられる。
【００２８】
つまり、第１ポスト口本体３０の筒体３２が第２ポスト口本体４０の受片４５に嵌り合うように仮取付けされる。
前記固着手段６０は図４に示すように、ボルト６１と筒６２を備え、そのボルト６１を投函物受口体５０から第２ポスト口本体４０の前面板４１を貫通し、第１ポスト口本体３０の前面板３１に設けたねじ孔３６に螺合する。これによって、第２ポスト口本体４０の前面板４１に投函物受口体５０と第１ポスト口本体３０を取付ける。
前記筒６２はボルト６１をねじ孔３６に挿入ガイドするものである。
【００２９】
前記屋内ガイド部１０は筒体１２にフランジ１３を設けたもので、筒体１２が取付部２０の取付用開口部２１に屋内側から挿入され、フランジ１３を取付部２０の屋内側部に接すると共に、筒体１２を固着具１４で取付部２０に固着して取付けられる。
【００３０】
前述の実施の形態では、ポスト口部１の筒状部３と屋内ガイド部１０が嵌まり合って連設しているので、その筒状部３と屋内ガイド部１０との重なり寸法に相当するだけ厚さ寸法の異なる取付部２０に対応できる。なお、取付部２０の厚さ寸法とは屋内外方向の寸法である。
しかし、厚さ寸法が前述の重なり寸法よりも大きい取付部２０には対応できないので、その場合には中間ガイド部を用い、ポスト口部１と屋内ガイド部１０を兼用して対応できるようにする。
【図面の簡単な説明】
【００４３】
【図１】本発明の実施の形態を示す屋外側正面図である。
【図２】図１のＡ−Ａ断面図である。
【図３】図１のＢ−Ｂ断面図である。
【図４】図２のＣ−Ｃ断面図である。
【符号の説明】
【００４４】
１…ポスト口部、２…投函口、３…筒状部、３ａ…外周面、３ｂ…内周面、４…支持部材、１０…屋内ガイド部、１０ａ…内周面、１０ｃ…外周面、１１…投函物ガイド、２０…取付部、２１…取付用開口部、２２…空間、２３…空間、２４…空間、３０…第１ポスト口本体、４０…第２ポスト本体、４３…入口。
【図１】
0004968735.tif 000002
【図２】
0004968735.tif 000003
【図３】
0004968735.tif 000004
【図４】
0004968735.tif 000005